(57)【要約】      （修正有）【課題】ダクトの形状の改良により低音域の音質を更に高めたバスレフ型スピーカーを提供する。【解決手段】スピーカーユニット２を取付けた密閉型のエンクロージャーＥの側面に共振用のダクトＤ1 が内方に向けて取付けられたバスレフ型スピーカーＳ1 において、前記ダクトＤ1 における空気流の入口側の端面６はテーパー状に形成されていると共に、空気流の出口側である他方の端面７は、長手方向に対して垂直に形成された構成とする。【選択図】図２
0003154917.tif 000002
【実用新案登録請求の範囲】
【請求項１】
スピーカーユニットを取付けた密閉型のエンクロージャーの側面に共振用のダクトが内方に向けて取付けられたバスレフ型スピーカーにおいて、
前記ダクトにおける空気流の入口側の端面は、テーパー状に形成されていると共に、空気流の出口側である他方の端面は、長手方向に対して垂直に形成されていることを特徴とするバスレフ型スピーカー用ダクト。
【請求項２】
スピーカーユニットを取付けた密閉型のエンクロージャーの側面、及び当該エンクロージャーの内部を仕切る仕切板の双方に共振用のダクトがそれぞれ取付けられたバスレフ型スピーカーにおいて、
前記各ダクトにおける空気流の入口側の端面は、それぞれテーパー状に形成されていると共に、空気流の出口側である他方の端面は、それぞれ長手方向に対して垂直に形成されていることを特徴とするバスレフ型スピーカー用ダクト。
【考案の詳細な説明】
【技術分野】
【０００１】
本考案は、エンクロージャーにダクトを取付けて低音域特性を高めたバスレフ型スピーカーのダクトに関するものである。
【背景技術】
【０００２】
バスレフ型スピーカーは、スピーカーユニットを取付けた密閉型のエンクロージャーの側面に共振用のダクトを内方に向けて取付けたり、或いは前記エンクロージャーの側面、及び当該エンクロージャーの内部を仕切る仕切板の双方に共振用のダクトをそれぞれ取付けたスピーカーである。エンクロージャーの容積とダクトの長さ及び断面積により共振周波数が定められて、共振点に達するまでは、発生音の波形が反転されることにより、共振周波数までは音の量感を保持しつつ、当該共振点以降は、量感が急激に落ちるために、低音域が増強されて、低音出力特性が高められる（引き締まった低音が発生する）ことが知られている。なお、ダクトを使用しない場合には、低音域（低音周波数）の全域に亘って音が伸ばされるために、「しまりのない低音」となって音は増強されない。
【０００３】
そして、従来のバスレフ型スピーカーにおいては、ダクトＤ’の両端面４１は、長手方向に対して垂直となっていて〔図４（ｂ）及び特許文献１参照〕、空気流に対して垂直となっている。このため、エンクロージャー内の空気がダクトを通って外部に流出される際に、空気流がダクトの流入側の端面に当たって、気流衝突音（風切り音）が発生して、音に歪みを生じさせたり、或いはダクトの流入側における空気流がスムーズとならないために、ダクトによる本来の共振とは別の共振や定在波が発生して、音質を低下（発生音がこもったり、濁ったりすること）させていた。
【先行技術文献】
【特許文献】
【０００４】
【特許文献１】実開昭６１−１４３３９５号公報
【考案の概要】
【考案が解決しようとする課題】
【０００５】
本考案は、バスレフ型スピーカーにおいて、ダクトの形状の改良により低音域の音質を更に高めることを課題としている。
【課題を解決するための手段】
【０００６】
上記課題を解決するための請求項１の考案は、スピーカーユニットを取付けた密閉型のエンクロージャーの側面に共振用のダクトが内方に向けて取付けられたバスレフ型スピーカーにおいて、前記ダクトにおける空気流の入口側の端面はテーパー状に形成されていると共に、空気流の出口側である他方の端面は、長手方向に対して垂直に形成されていることを特徴としている。
【０００７】
請求項１の考案によれば、ダクトにおける空気流の入口側の端面のみがテーパー状に形成されているため、エンクロージャーの内部において空気流がダクトに流入する際に、ダクト端面に対する衝突が生じなくなって、スムーズにダクト内に流入する。このため、空気流の衝突による風切り音が発生しなくなると共に、ダクトとエンクロージャーの各大きさのみにより定められる共振が発生して、障害となる別の共振が発生しなくなる。一方、ダクトにおける空気流の出口側の端面は、長手方向に対して垂直に形成されていて、ダクト内の空気流が一気に排出される構成になっており、この構成は、低音域の音質の向上に役立っている。この結果、請求項１の考案によれば、バスレフ型スピーカーにおいて、低音域から中高音域までの全周波数帯域における発生音のバランスがよくなって、音の解像度が高まって、はっきりとした細かい音の再生ができて、特に低音域の音質が高められるというバスレフ型スピーカーの特徴が一層に高められる。
【０００８】
また、請求項２の考案は、スピーカーユニットを取付けた密閉型のエンクロージャーの側面、及び当該エンクロージャーの内部を仕切る仕切板の双方に共振用のダクトがそれぞれ取付けられたバスレフ型スピーカーにおいて、前記各ダクトにおける空気流の入口側の端面は、それぞれテーパー状に形成されていると共に、空気流の出口側である他方の端面は、それぞれ長手方向に対して垂直に形成されていることを特徴としている。
【０００９】
請求項２の考案は、エンクロージャーの外部に通じるダクトと、エンクロージャー内に配置されるダクトとの２種類のダクトを有するダブルバスレフ型スピーカーにおいて、特に低音域の音質が高められるというバスレフ型スピーカーの特徴が一層に高められる。
【考案の効果】
【００１０】
本考案によれば、ダクトに対して空気流が流入する際に、ダクト端面に対する衝突が生じなくなって、空気流がスムーズにダクト内に流入するため、空気流の衝突による風切り音が発生しなくなると共に、ダクトとエンクロージャーの各大きさのみにより定められる共振が発生して、障害となる別の共振が発生しなくなると共に、ダクトにおける空気流の出口側の端面は、長手方向に対して垂直に形成されていて、ダクト内の空気流が一気に排出される構成になっており、この構成が、低音域の音質を向上させている。この結果、本考案によれば、バスレフ型スピーカーにおいて、低音域から中高音域までの全周波数帯域における発生音のバランスがよくなって、音の解像度が高まって、はっきりとした細かい音の再生ができて、特に低音域の音質が高められるというバスレフ型スピーカーの特徴が一層に高められる。
【図面の簡単な説明】
【００１１】
【図１】本考案に係るダクトＤ1 を備えたバスレフ型スピーカーＳ1 の正面図である。
【図２】図１のＸ−Ｘ線断面図である。
【図３】同じく一部を破断した斜視図である。
【図４】（ａ），（ｂ）は、それぞれ本考案に係るダクトＤ1 及び従来のダクトＤ’の斜視図である。
【図５】本考案に係るダクトＤ1 ，Ｄ2 を備えたダブルバスレフ型スピーカーＳ2 の断面図である。
【考案を実施するための形態】
【００１２】
以下、最適な複数の実施形態を挙げて、本考案を更に詳細に説明する。
【実施例１】
【００１３】
最初に、図１ないし図４を参照して、本考案の実施例１について説明する。図１は、本考案に係るダクトＤ1 を備えたバスレフ型スピーカーＳ1 の正面図であり、図２は、図１のＸ−Ｘ線断面図であり、図３は、同じく一部を破断した斜視図であり、図４（ａ），（ｂ）は、それぞれ本考案に係るダクトＤ1 及び従来のダクトＤ’の斜視図である。図１ないし図４に示されるように、バスレフ型スピーカーＳ1 は、密閉されたエンクロージャー（筐体）Ｅの前板部１の上半部には、スピーカーユニット２を取付けるための円形開口３が形成されて、当該円形開口３に前記スピーカーユニット２が嵌め込まれた形態で取付けられ、当該スピーカーユニット２の背後は、発生音を伝播させる空気室４となっている。スピーカーＳ1 では、エンクロージャーＥの内部空間の全体が一つの空気室４を形成している。
【００１４】
また、エンクロージャーＥの前板部１の下半部には、円形のダクト開口５が形成されて、円筒状のダクトＤ1 の一端部が前記ダクト開口５に差し込まれることにより、前記前板部１にダクトＤ1 が取付けられて、当該ダクトＤ1 を介して前記空気室４は外部と連通している。ダクトＤ1 の長さＬと内径ｄは、空気室４の容積との関係において、低音域の設定された共振周波数が得られるように設定してある。
【００１５】
また、前記ダクトＤ1 の空気流の入口側の端面６は、断面視でテーパー状となるような円錐面状に形成されているのに対して、出口側の端面７は、長手方向に対して垂直に形成されている。
【００１６】
そして、スピーカーユニット２から音が発せられると、ダクトＤ1 内の空気は、空気室４内の空気とは分離して存在している関係となって、空気室４内の空気の背圧により、ダクトＤ1 内の空気が当該ダクトＤ1 内を出入りすることにより、音の共鳴現象が発生して、低音域の音が増強される。その際に、ダクトＤ1 の空気室４内に存在している端面６は、円錐面状（テーパー状）に形成されているので、空気室４からダクトＤ1 内に空気が流入する際に、従来のダクトＤ’のように、端面４１に衝突する現象が回避されて、空気室４からダクトＤ1 内に空気がスムーズに流入する。一方、ダクトＤ1 の他方の端面７は、長手方向に対して垂直に形成されているため、当該ダクトＤ1 内の空気は、一気に外部に放出される。ダクトＤ1 の両端面６，７の上記作用によって、ダクトＤ’の端面４１に空気流が衝突して生ずる風切り音が発生しなくなって、エンクロージャーＥとダクトＤ1 の各大きさのみによって定められる共振のみが発生して、他の原因で生ずる共振がなくなる。この結果、音の解像度が高まって、はっきりした細かい音の再生が可能となって、特に低音域の音質が高められる。なお、図２及び図４において、矢印は、空気室４及びダクトＤ1 の各内部における空気の流れを示す。
【実施例２】
【００１７】
図５は、本考案に係るダクトＤ1 ，Ｄ2 を備えたダブルバスレフ型スピーカーＳ2 の断面図である。スピーカーＳ2 の空気室は、区画板部１１によって上空気室１２と下空気室１３とに区画されている。区画板部１１には、下空気室１３に入り込んだ形態で、前板部１に取付けられたダクトＤ1 とは別のダクトＤ2 が取付けられている。ダクトＤ2 の空気流の入口側の端面６は、前記ダクトＤ1 と同様に円錐面状（テーパー状）に形成されている。
【００１８】
このように、エンクロージャーＥの内部にも、外部に通じるダクトＤ1 とは別のダクトＤ2 が配置されたダブルバスレフ型スピーカーＳ2 は、低音域の音質を更に高めるものとして知られている。エンクロージャーＥの内部に配置されたダクトＤ2 に流入する空気も、円錐面状の端面６の作用によって、上空気室１２から下空気室１３にスムーズに流れる。よって、低音域の音質を高めるために使用される２本のダクトＤ1 ，Ｄ2 のいずれにも、空気流の入口側の端面６は円錐面状になっているので、低音域の音質改善の効果が一層に高められる。
【００１９】
また、ダクトＤ1 ，Ｄ2 の空気流の入口側を円錐面状（テーパー状）に形成（カット）するには、ルーター、トリマー等の回転切削工具の使用により容易に形成可能である。
【００２０】
なお、実施例１，２では、ダクトＤ1 ，Ｄ2 の形状は、いずれも円筒状であるが、各筒状のダクトの使用も可能であって、この場合においても、空気流の入口側の端面は、テーパー状に形成される。
【符号の説明】
【００２１】
Ｄ1,Ｄ2 ：ダクト
Ｅ：エンクロージャー
Ｓ1,Ｓ2 ：バスレフ型スピーカー
４：空気室
６：テーパー状の端面
７：長手方向に対して垂直の端面
１２：上空気室
１３：下空気室
【図１】
0003154917.tif 000003
【図２】
0003154917.tif 000004
【図３】
0003154917.tif 000005
【図４】
0003154917.tif 000006
【図５】
0003154917.tif 000007